【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
超伝導クロスバースイッチであって、
複数の入力線と、
複数のセルの行列とを含み、前記複数のセルの各々は前記複数の入力線の１つに結合され、各セルは、
第１の超伝導スイッチを含む第１の回路部分と、
第２の回路部分とを含み、前記第２の回路部分を介する第１の信号が前記第１の超伝導スイッチを起動し、前記超伝導クロスバースイッチはさらに、
複数の出力線を含み、前記複数の出力線の各々は前記複数のセルの１つに結合される、超伝導クロスバースイッチ。
【請求項２】
前記第２の回路部分は第２の超伝導スイッチを含む、請求項１に記載のスイッチ。
【請求項３】
前記第２の回路部分は第１の脚および第２の脚を含み、前記第２の脚は前記第２の超伝導スイッチを含み、前記第２の回路部分の前記第１の脚を介する信号が前記第１の超伝導スイッチを起動する、請求項２に記載のスイッチ。
【請求項４】
前記複数のセルの各セルは、
第３の回路部分をさらに含み、前記第３の回路部分を介する第２の信号が前記第２の超伝導スイッチを起動する、請求項３に記載のスイッチ。
【請求項５】
前記第１の回路部分は、前記第１の超伝導スイッチと直列に第１の抵抗器を含む、請求項１に記載のスイッチ。
【請求項６】
前記第１の超伝導スイッチは、第１の接地接続への結合に直列である、請求項５に記載のスイッチ。
【請求項７】
前記第１の回路部分は、前記第１の抵抗器に直列に結合される第２の抵抗器を含む、請求項６に記載のスイッチ。
【請求項８】
前記第２の抵抗器は、前記複数の出力線からの１つへの結合に直列である、請求項７に記載のスイッチ。
【請求項９】
前記第２の回路部分の前記第１の脚は、インダクタを含む、請求項４に記載のスイッチ。
【請求項１０】
前記第２の回路部分の前記第２の脚は、第２の接地接続への結合に直列である、請求項４に記載のスイッチ。
【請求項１１】
前記第１の信号は、前記第２の回路部分内の第１の電流を介して生成される、請求項１に記載のスイッチ。
【請求項１２】
前記第２の信号は、前記第３の回路部分内の第２の電流を介して生成される、請求項４に記載のスイッチ。
【請求項１３】
複数の積算素子をさらに含み、前記複数の出力線の各々は前記複数の積算素子からの１つに直列に結合される、請求項１に記載のスイッチ。
【請求項１４】
前記複数の積算素子の各々は、第３の超伝導スイッチを含む、請求項１３に記載のスイッチ。
【請求項１５】
前記複数の積算素子の各々は、第１の積算素子回路部分および第２の積算素子回路部分を含む、請求項１３に記載のスイッチ。
【請求項１６】
前記第２の積算素子回路部分は、第３の超伝導素子を含み、前記第１の積算素子回路部分を介する第３の信号が前記第３の超伝導素子を起動する、請求項１５に記載のスイッチ。
【請求項１７】
前記複数の積算素子の各々は、積算素子出力を含む、請求項１６に記載のスイッチ。
【請求項１８】
前記第３の超伝導素子の前記起動は、前記積算素子出力を介して出力信号を生成する、請求項１７に記載のスイッチ。
【請求項１９】
前記積算素子出力は、メモリ素子に結合される、請求項１７に記載のスイッチ。
【請求項２０】
前記複数の積算素子の各々は、積算素子入力を含む、請求項１９に記載のスイッチ。
【請求項２１】
前記積算素子入力は、前記第１の積算素子回路に結合される、請求項２０に記載のスイッチ。
【請求項２２】
前記第１の積算素子回路は、少なくとも第４の超伝導素子を含む、請求項２１に記載のスイッチ。
【請求項２３】
前記少なくとも第４の超伝導素子の各々は、第３の接地接続に直列に結合される、請求項２２に記載のスイッチ。
【請求項２４】
前記少なくとも第４の超伝導素子は、前記第４の超伝導素子および第５の超伝導素子を含む、請求項２２に記載のスイッチ。
【請求項２５】
前記積算素子入力は、前記メモリ素子に結合される、請求項２３に記載のスイッチ。
【請求項２６】
前記少なくとも第４の超伝導スイッチの各々は、前記第３の接地接続への前記結合と、前記積算素子入力が前記第１の積算素子回路へと結合される点との間に直列に結合される、請求項２３に記載のスイッチ。
【請求項２７】
前記複数の出力線の各々は、双方向に信号を伝送することができる、請求項１３に記載のスイッチ。
【請求項２８】
前記複数の入力線の各々に直列に結合された複数の入力ドライバをさらに含む、請求項１９に記載のスイッチ。
【請求項２９】
前記複数の入力ドライバの各々は、第６の超伝導スイッチを含む、請求項２０に記載のスイッチ。
【請求項３０】
前記複数の入力ドライバの各々は、第１の入力駆動回路部分および第２の入力駆動回路部分を含む、請求項２８に記載のスイッチ。
【請求項３１】
前記第２の入力駆動回路部分は、第６の超伝導素子を含み、前記第１の入力駆動回路部分を介する第４の信号が前記第６の超伝導素子を起動する、請求項３０に記載のスイッチ。
【請求項３２】
前記入力ドライバは、入力駆動出力を含む、請求項３１に記載のスイッチ。
【請求項３３】
前記第６の超伝導素子の前記起動は、前記入力駆動出力を介して出力信号を生成する、請求項３２に記載のスイッチ。
【請求項３４】
前記入力駆動出力は、プロセッサに結合される、請求項３２に記載のスイッチ。
【請求項３５】
前記複数の入力ドライバの各々は、入力駆動入力を含む、請求項３４に記載のスイッチ。
【請求項３６】
前記入力駆動入力は、前記第１の入力駆動回路に結合される、請求項３５に記載のスイッチ。
【請求項３７】
前記第１の入力駆動回路は、少なくとも第７の超伝導素子を含む、請求項３６に記載のスイッチ。
【請求項３８】
前記少なくとも第７の超伝導素子の各々は、第４の接地接続に直列に結合される、請求項３７に記載のスイッチ。
【請求項３９】
前記少なくとも第７の超伝導素子は、前記第７の超伝導素子および第８の超伝導素子を含む、請求項３８に記載のスイッチ。
【請求項４０】
前記少なくとも第７の超伝導スイッチの各々は、前記第４の接地接続への前記結合と、前記入力駆動入力が前記第１の入力駆動回路へと結合される点との間に直列に結合される、請求項３８に記載のスイッチ。
【請求項４１】
前記複数の積算素子の各々は、第３の積算素子回路部分を含む、請求項１５に記載のスイッチ。
【請求項４２】
前記第３の積算素子回路部分は、第９の超伝導素子を含み、前記第１の積算素子回路部分を介する第５の信号が前記第９の超伝導素子を起動する、請求項４１に記載のスイッチ。
【請求項４３】
前記複数の積算素子の各々は、積算素子競合出力を含む、請求項４２に記載のスイッチ。
【請求項４４】
前記第９の超伝導素子の前記起動は、前記積算素子競合出力を介して出力信号を生成する、請求項４３に記載のスイッチ。
【請求項４５】
超伝導クロスバースイッチであって、
複数のセルの行列を含み、各セルは、
第１の超伝導スイッチを含む第１の回路部分と、
第２の回路部分とを含み、前記第２の回路部分を介する第１の信号が前記第１の超伝導スイッチを起動する、超伝導クロスバースイッチ。
【請求項４６】
超伝導クロスバースイッチであって、
複数のセルの行列を含み、各セルは、
第１の超伝導スイッチを含む第１の回路部分と、
第２の回路部分とを含み、前記第２の回路部分を介する第１の信号が前記第１の超伝導スイッチを起動し、前記超伝導クロスバースイッチはさらに、
複数のセルの前記行列に結合される第１および第２のプロセッサグルーチップと、
複数のセルの前記行列に結合される第１および第２のメモリグルーチップと、
第１の入力データ線を介して前記第１のグルーチップに結合される第１の複数のプロセッサと、
前記第２のグルーチップに結合される第２の複数のプロセッサと、
前記第１のメモリグルーチップに結合される第１の複数のメモリ素子と、
前記第２のメモリグルーチップに結合される第２の複数のメモリ素子とを含む、超伝導クロスバースイッチ。
【請求項４７】
複数の入力を複数の出力と接続するためのクロスバースイッチであって、
少なくとも１つのスイッチングセルを含み、これは、
少なくとも１つの入力素子と、
少なくとも１つの出力素子と、
前記少なくとも１つの入力素子と前記少なくとも１つの出力素子との間でデータを双方向に伝送するための少なくとも１つの接続スイッチを含み、前記少なくとも１つの接続スイッチの各々は、
第１の超伝導スイッチと、
前記接続スイッチの動作を制御するための第１の制御スイッチとを含む、クロスバースイッチ。
【請求項４８】
前記第１の超伝導スイッチは、抵抗がゼロでありかつクロストークがわずかである、請求項４７に記載のクロスバースイッチ。
【請求項４９】
前記接続スイッチは、複数の機能ユニット間での接続を可能にする、請求項４７に記載のクロスバースイッチ。
【請求項５０】
第２の超伝導スイッチと、
前記第１の超伝導スイッチの動作を保持および解除するための第２の制御スイッチとをさらに含む、請求項４７に記載のクロスバースイッチ。
【請求項５１】
スイッチングセルをさらに含み、これは、
行列に配置された複数のセルを含み、前記少なくとも１つの入力素子は前記複数のセルに結合され、前記少なくとも１つの出力素子は前記複数のセルに結合される、請求項４７に記載のクロスバースイッチ。
【請求項５２】
前記スイッチングセルは、
フィードバック機構をさらに含む、請求項５１に記載のクロスバースイッチ。
【請求項５３】
前記複数のセルは、
同時に前記複数のセルの選択されたセルを保持しかつ前記複数のセルの残りのセルを不能化して、前記選択されたセルが解除されるまで不能化されたセルへの後続の伝送を動作不能にするための、少なくとも１つの出力素子に接続される保持解除素子をさらに含む、請求項５２に記載のクロスバースイッチ。
【請求項５４】
前記少なくとも１つの出力素子は、
出力電流を積算するための積算素子を含む、請求項４７に記載のクロスバースイッチ。
【請求項５５】
前記積算素子は、
積算増幅器と、
付加的な超伝導スイッチとから選択される少なくとも１つを含む、請求項５４に記載のクロスバースイッチ。
【請求項５６】
セルへの同時のパルスを検知し、前記同時のパルスからの競合の指標を生成し、前記競合を解決するための前記少なくとも１つの接続スイッチに結合される検出装置をさらに含む、請求項４７に記載のクロスバースイッチ。
【請求項５７】
超伝導クロスバースイッチを介して情報を伝送するための方法であって、前記スイッチは複数のセルを含み、前記セルの各々は第１の回路部分内に第１の超伝導スイッチ、入力線への結合、出力線への結合、および第２の回路部分を含み、前記方法は、
制御信号を前記第２の回路部分へと伝送するステップと、
前記制御信号を受取ったことに応答して、前記第２の回路部分が第１の切換信号を生成するステップと、
前記第１の切換信号が前記第１の超伝導スイッチを起動するステップと、
前記第１の超伝導スイッチの前記起動が前記出力線を介する出力信号の伝送を可能にするステップとを含む、方法。
【請求項５８】
前記切換信号は電気信号を含む、請求項５７に記載の方法。
【請求項５９】
前記第２の回路部分は第２の超伝導スイッチを含み、前記セルの各々は第３の回路部分を含み、前記方法は、
クランプ線信号を前記第３の回路部分へと伝送するステップと、
前記クランプ線信号を受取ったことに応答して、前記第３の回路部分が第２の切換信号を生成するステップと、
前記第２の切換信号が前記第２の超伝導スイッチを起動するステップと、
前記第２の超伝導スイッチの前記起動が、前記第２の回路部分が前記第１の切換信号を生成することを可能にするステップとをさらに含む、請求項５７に記載の方法。
【請求項６０】
前記超伝導クロスバースイッチへと入力を伝送するステップと、
前記入力の伝送が前記出力線を介して前記出力信号を生成するステップとを含む、請求
項５７に記載の方法。
【請求項６１】
複数の出力線は前記複数のセルに関連付けられ、前記超伝導クロスバースイッチへと入力を伝送するステップは、
前記複数の出力線からデータを伝送すべき出力線を選択するステップと、
前記複数の出力線から選択された出力線に対応する前記複数のセルからの少なくとも１つを識別するステップとを含む、請求項６０に記載の方法。
【請求項６２】
前記複数のセルに対する各出力線は積算素子に結合され、前記積算素子は第１の回路部分および第２の回路部分を含み、前記第２の回路部分は第３の超伝導スイッチを含み、前記方法は、
前記出力線を介して前記出力信号を前記積算素子の前記第１の回路部分へと伝送するステップと、
前記積算素子の前記第１の回路部分が積算素子制御線信号を生成するステップと、
前記制御線信号が前記第３の超伝導スイッチを起動するステップと、
前記第３の超伝導スイッチの前記起動がメモリ入力への伝送を生成するステップとをさらに含む、請求項６０に記載の方法。
【請求項６３】
前記複数のセルに対する各入力線は入力ドライバに結合され、前記入力ドライバは第１の回路部分および第２の回路部分を含み、前記入力ドライバの第２の回路部分は第４の超伝導スイッチを含み、前記入力ドライバの第１の回路部分は少なくとも第５の超伝導スイッチを含み、前記方法は、
前記入力ドライバの第１の回路部分が信号を受取るステップと、
前記受取られた入力ドライバの第１の回路部分の信号が前記少なくとも第５の超伝導スイッチの各々を電圧状態へと駆動するステップとをさらに含む、請求項６２に記載の方法。
【請求項６４】
前記積算素子の第１の回路部分は少なくとも第６の超伝導スイッチを含み、前記方法は、
前記メモリ入力に対応する反転された増幅信号を前記積算素子の第１の回路部分へと伝送するステップと、
前記反転された増幅信号が前記少なくとも第６の超伝導スイッチの各々を電圧状態へと駆動するステップと、
前記複数のセルの少なくとも１つを介して前記反転された増幅信号を入力ドライバの第１の回路部分へと伝送するステップとをさらに含む、請求項６２に記載の方法。
【請求項６５】
前記入力ドライバの第１の回路部分によって受取られる前記反転された増幅信号は、確認信号を含む、請求項６４に記載の方法。
【請求項６６】
複数の入力、少なくとも１つの出力、複数のスイッチング素子および少なくとも１つの競合センサを有するクロスバースイッチでの競合を解決するための方法であって、前記スイッチング素子の各々は前記複数の入力の少なくとも１つに結合され、前記少なくとも１つの競合センサの各々は前記少なくとも１つの出力の１つに結合され、前記方法は、
前記複数の入力の第１の入力が第１の入力信号を前記複数のスイッチング素子の第１のスイッチング素子へと伝送するステップと、
前記第１の入力信号の伝送と同時に、前記複数の入力の第２の入力が第２の入力信号を前記複数のスイッチング素子の第２のスイッチング素子へと伝送するステップと、
前記第１および前記第２のスイッチング素子からの組合された切換出力を前記少なくとも１つの出力の１つへと伝送するステップと、
前記競合センサが前記組合された切換出力を検出するステップと、
前記組合された切換出力を検出すると、前記競合センサは前記少なくとも１つの出力の前記１つを介して出力信号を生成することを防止するステップとを含む、方法。
【請求項６７】
前記少なくとも１つの出力の前記１つを介した出力信号の生成を防止するステップは、
前記複数の入力の前記第１の入力および前記第２の入力の各々への確認信号の生成を防止するステップをさらに含む、請求項６６に記載の方法。
【請求項６８】
前記複数のスイッチング素子の各々は、スイッチング素子超伝導スイッチを含む、請求項６６に記載の方法。
【請求項６９】
前記競合センサは、競合センサ超伝導素子を含む、請求項６６に記載の方法。
【請求項７０】
確認信号がないと判定するステップと、
確認信号がないと判定すると、前記複数の入力の前記第１の入力は前記第１の入力信号を再伝送し、前記複数の入力の前記第２の入力は前記第２の入力信号を再伝送するステップとをさらに含む、請求項６７に記載の方法。
【請求項７１】
複数の入力、少なくとも１つの出力および複数のスイッチング素子を有するクロスバースイッチを介してブロードキャスト信号を提供するための方法であって、前記スイッチング素子の各々は前記複数の入力の少なくとも１つに結合され、前記方法は、
そこから切換出力が伝送されるべき前記複数のスイッチング素子の各々に制御信号を伝送するステップと、
前記複数のスイッチング素子の少なくとも１つに入力信号を伝送するステップと
前記複数のスイッチング素子の各々が前記制御信号を受取りかつ前記入力信号を受取り、前記スイッチング素子が前記少なくとも１つの出力のいずれかに出力信号を生成するステップとを含む、方法。
【請求項７２】
前記複数のスイッチング素子の各々は、超伝導スイッチを含む、請求項７１に記載の方法。
【請求項７３】
前記スイッチング素子が前記少なくとも１つの出力のいずれかへの出力信号の生成を防止するステップは、
スイッチング素子内に電流を生成するステップと、
前記生成された電流が前記超伝導スイッチを導電するステップとを含む、請求項７２に記載の方法。
【請求項７４】
複数の入力、少なくとも１つの出力、および複数のスイッチング素子を有するクロスバースイッチを介して信号を伝送するための方法であって、前記スイッチング素子の各々は、前記複数の入力の少なくとも１つに結合され、前記方法は、
前記複数のスイッチング素子の各々へと入力信号を伝送するステップと、
そこから出力信号が生成されるべき前記複数のスイッチング素子の前記少なくとも１つの各々へと制御信号を伝送するステップと、
前記複数のスイッチング素子の各々が前記制御信号を受取りかつ前記入力信号を受取り、前記スイッチング素子が前記少なくとも１つの出力の１つに出力信号を生成するステップとを含む、方法。
【請求項７５】
入力信号を受取りかつ制御信号を受取らない前記複数のスイッチング素子の各々は、前記出力信号を前記少なくとも１つの出力のいずれかに生成することを防止される、請求項７４に記載の方法。
【請求項７６】
前記複数のスイッチング素子の各々は、超伝導スイッチを含む、請求項７５に記載の方法。
【請求項７７】
前記複数のスイッチング素子内の超伝導スイッチはグラウンドに結合され、前記複数のスイッチング素子の各々が前記少なくとも１つの出力のいずれかへの前記出力信号の生成を防止するステップは、
前記入力信号が前記スイッチング素子内に電流を生成するステップと、
前記生成された電流を前記超伝導スイッチを介して前記グラウンドへと導通するステップとを含む、請求項７６に記載の方法。